(57)【要約】【課題】認証時に煩雑性を伴うことなく、しかも高度のセキュリティを確保できる携帯情報機器、認証装置及び認証システムを提供する。【解決手段】本システムはインターネット１を介して接続されるＤＮＡデータ解析装置２、ＤＮＡデータ解析用データベース３、認証サーバー４、会員情報／課金データベース５、情報／役務提供サーバー６、提供サービスのコンテンツ／データベース７等を有している。ＤＮＡデータ解析装置２には、無線送受信部２２、認証装置２１が接続されている。また、腕に装着可能な携帯情報機器８は、無線送受信部２０１との通信機能を備え、個人／会員ＩＤ及び指紋認証用参照データを出力するものである。認証装置２１は、ユーザの生体情報を検出して記憶する。携帯情報機器８から予め記憶された生体情報を送信すると、認証装置２１は受信した生体情報と記憶されている生体情報とを比較して、本人認証を行う。【選択図】        図１
2004208994.tif 000002
【特許請求の範囲】
【請求項１】
身体に装着可能な携帯情報機器であって、
各人に固有の生体情報を記憶する記憶手段と、
この記憶手段に記憶された前記生体情報を送信する送信手段と
を備えることを特徴とする携帯情報機器。
【請求項２】
身体に装着可能な携帯情報機器であって、
各人に固有の生体情報を検出する検出手段と、
この検出手段により検出された生体情報を記憶する記憶手段と、
この記憶手段に記憶された前記生体情報を送信する送信手段と
を備えることを特徴とする携帯情報機器。
【請求項３】
前記生体情報が指紋データであることを特徴とする請求項１又は２記載の携帯情報機器。
【請求項４】
前記生体情報がＤＮＡ／遺伝子データであることを特徴とする請求項１又は２記載の携帯情報機器。
【請求項５】
各人に固有の生体情報を検出する検出手段と、
この検出手段により検出された生体情報を記憶する記憶手段と、
外部から送信される生体情報を受信する受信手段と、
この受信手段により受信された生体情報と、前記記憶手段に記憶されている生体情報とを比較し、この比較結果に基づき認証処理を実行する認証処理手段と
を備えることを特徴とする本人認証装置。
【請求項６】
前記検出手段により検出された生体情報を、外部機器の記憶手段に記憶させる書き込み手段を更に備えることを特徴とする請求項５記載の本人認証装置。
【請求項７】
携帯情報機器と認証装置とで構成される本人認証システムであって、
前記携帯情報機器は、身体に装着可能な携帯情報機器であって、
各人に固有の生体情報を記憶する記憶手段と、
この記憶手段に記憶された前記生体情報を送信する送信手段と
を備え、
前記認証装置は、各人に固有の生体情報を検出する検出手段と、
この検出手段により検出された生体情報を記憶する記憶手段と、
前記携帯情報機器の送信手段から送信される生体情報を受信する受信手段と、
この受信手段により受信された生体情報と、前記記憶手段に記憶されている生体情報とを比較し、この比較結果に基づき本人であるか否かの認証処理を実行する認証処理手段と
を備えることを特徴とする本人認証システム。
【請求項８】
前記認証装置は、前記検出手段により検出された生体情報を、前記携帯情報機器の記憶手段に記憶させる書き込み手段を更に有することを特徴とする請求項７記載の本人認証システム。
【発明の詳細な説明】
【０００１】
【発明の属する技術分野】
本発明は、本人であるか否かの本人認証を行うために用いられる携帯情報機器、本人認証装置及び本人認証システムに関する。
【０００２】
【従来の技術】
従来、事前に登録がなされていることを前提に、サービスを受ける資格のある本人であることの認証を行う本人認証では、下記のシステムが実用化されている。
（ａ）ＩＤカードなどの本人しか持っていないはずの所持品に基づき、本人認証を行う。
（ｂ）パスワードや暗証番号等の本人しか知らない情報に基づき、本人認証を行う。
（ｃ）指紋、声紋、網膜などの本人固有の生体情報を認証時に検出し、本人認証を行う（例えば、特許文献１参照。）。
【０００３】
【特許文献１】
特開２０００−３００２８号公報
【０００４】
【発明が解決しようとする課題】
しかしながら、（ａ）のＩＤカードなどの本人しか持っていないはずの所持品を用いるシステムの場合、認証時の手軽さがメリットとなる反面、紛失や盗難、偽造によるリスクが伴う。また、（ｂ）の本人しか知らない情報を用いるシステムの場合、電子化や通信用途に用いることが容易であり、認証時の手軽さがメリットとなる反面、解読されやすく、通信途中での盗聴やハックされるリスクが伴う。さらに、（ｃ）の本人固有の生体情報を認証時に検出して用いるシステムの場合、最も高いセキュリティを確保できるメリットがある反面、認証の都度ユーザが生体情報を検出させる動作を行わなければならず煩雑となってしまう。
【０００５】
本発明は、このような実状に鑑みてなされたものであり、認証時に煩雑性を伴うことなく、しかも高度のセキュリティを確保できる携帯情報機器、認証装置及び認証システムを提供することを目的とするものである。
【０００６】
【課題を解決するための手段】
前記課題を解決するために請求項１に係る発明にあっては、身体に装着可能な携帯情報機器であって、各人に固有の生体情報を記憶する記憶手段と、この記憶手段に記憶された前記生体情報を送信する送信手段とを備える。したがって、予め記憶手段に各人に固有の生体情報を記憶させておけば、この記憶された生体情報が送信されることから、認証の都度ユーザが生体情報を検出させる動作を行う必要はない。よって、認証時に煩雑性を伴うことはない。また、携帯情報機器は身体に装着可能であり、また、認証用いられる情報は各人に固有の生体情報であることから、高度のセキュリティを確保することもできる。
【０００７】
また、請求項２に係る発明にあっては、身体に装着可能な携帯情報機器であって、各人に固有の生体情報を検出する検出手段と、この検出手段により検出された生体情報を記憶する記憶手段と、この記憶手段に記憶された前記生体情報を送信する送信手段とを備える。したがって、当該携帯情報機器で各人に固有の生体情報を検出して記憶することができる。そして、一旦記憶手段に固有の生体情報を記憶させておけば、この記憶された生体情報が送信されることから、認証の都度ユーザが生体情報を検出させる動作を行う必要はない。よって、認証時に煩雑性を伴うことはない。また、携帯情報機器は身体に装着可能であり、また、認証用いられる情報は各人に固有の生体情報であることから、高度のセキュリティを確保することもできる。
【０００８】
また、請求項３の発明に係る携帯情報機器にあっては、前記生体情報が指紋データであり、請求項４の発明に係る携帯情報機器にあっては、前記生体情報がＤＮＡ／遺伝子データである。
【０００９】
また、請求項５の発明に係る本人認証装置にあっては、各人に固有の生体情報を検出する検出手段と、この検出手段により検出された生体情報を記憶する記憶手段と、外部から送信される生体情報を受信する受信手段と、この受信手段により受信された生体情報と、前記記憶手段に記憶されている生体情報とを比較し、この比較結果に基づき認証処理を実行する認証処理手段とを備える。
【００１０】
したがって、ユーザはこの認証装置が設置されている場所に１度出向き、生体情報を検出手段により検出させて、記憶手段に記憶させておく。しかる後に、本人認証時に外部から生体情報が送信されてくると、認証装置はこれを受信して、記憶手段に記憶されている生体情報とを比較し、この比較結果に基づき認証処理を実行する。したがって、ユーザは認証装置が設置されている場所に１度だけ出向き生体情報を検出させて記憶させておけば、認証の都度ユーザが生体情報を検出させる動作を行う必要はない。よって、認証時に煩雑性を伴うことはない。また、認証用いられる情報は各人に固有の生体情報であることから、高度のセキュリティを確保することもできる。
【００１１】
また、請求項６の発明に係る本人認証装置にあっては、前記検出手段により検出された生体情報を、外部機器の記憶手段に記憶させる書き込み手段を更に備える。したがって、ユーザが所有し本人認証装置に生体情報を送信するための機器に、生体情報を記憶させることもできる。
【００１２】
また、請求項７に係る発明にあっては、携帯情報機器と認証装置とで構成される本人認証システムであって、前記携帯情報機器は、身体に装着可能な携帯情報機器であって、各人に固有の生体情報を記憶する記憶手段と、この記憶手段に記憶された前記生体情報を送信する送信手段とを備え、前記認証装置は、各人に固有の生体情報を検出する検出手段と、この検出手段により検出された生体情報を記憶する記憶手段と、前記携帯情報機器の送信手段から送信される生体情報を受信する受信手段と、この受信手段により受信された生体情報と、前記記憶手段に記憶されている生体情報とを比較し、この比較結果に基づき本人であるか否かの認証処理を実行する認証処理手段とを備える。
【００１３】
したがって、ユーザは認証装置が設置されている場所に１度だけ出向き生体情報を検出させて記憶させておけば、認証の都度ユーザが生体情報を検出させる動作を行う必要はない。よって、認証時に煩雑性を伴うことはない。また、認証用いられる情報は各人に固有の生体情報であることから、高度のセキュリティを確保することもできる。
【００１４】
また、請求項８の発明に係る本人認証システムにあっては、前記認証装置は、前記検出手段により検出された生体情報を、前記携帯情報機器の記憶手段に記憶させる書き込み手段を更に有する。したがって、ユーザは認証装置が設置されている場所に１度だけ出向き生体情報を検出させれば、認証装置のみならずユーザが所有する携帯情報機器にも、本人認証を行うために必要となる生体情報を記憶させることができる。
【００１５】
【発明の実施の形態】
（１）第１の実施の形態
以下、本発明の第１の実施の形態を図に従って説明する。図１は、本実施の形態のシステム構成を示すものである。本システムはインターネット１を介して接続されるＤＮＡデータ解析装置２、ＤＮＡデータ解析用データベース３、認証サーバー４、会員情報／課金データベース５、情報／役務提供サーバー６、提供サービスのコンテンツ／データベース７等を有している。ＤＮＡデータ解析装置２には、無線送受信部２２、指紋認証装置あるいはＤＮＡ遺伝子分析／読取装置２１（以下、単に認証装置２１という。）が接続されている。また、腕に装着可能な携帯情報機器８は、前記無線送受信部２０１との通信機能を備え、個人／会員ＩＤ及び指紋認証用参照データを出力するものである。
【００１６】
図２は、携帯情報機器８と認証装置２１との回路構成を示すブロック図である。携帯情報機器８は、各部を制御する制御部８０１と、この制御部８０１に接続された登録済指紋データブロック８０２、ＩＤ，暗証などその他の認証用データブロック８０３、及び無線送受信部８０４で構成されている。
【００１７】
認証装置２１は、各部を制御する制御部２１３を備え、この制御部２１３には、前記携帯情報機器８側の無線送受信部８０４と通信する無線送受信部２１２、登録済指紋データ復号ブロック２１５及びその他認証データ復号ブロック２１９が接続されている。登録済指紋データ復号ブロック２１５は、指紋データ解析部＆認証部２１４内に設けられており、同様に指紋データ解析部＆認証部２１４内に設けられている指紋データ認証検査ブロック２１６を介して、認証判定ブロック２１７に接続され、この認証判定ブロック２１７はアクセス制御＆サービス制御ブロック２１８に接続されている。前記その他認証データ復号ブロック２１９は、その他の認証検査ブロック２２０を介して、認証判定ブロック２１７に接続されている。
【００１８】
また、この認証装置２１には、指紋センサ２２１が設けられており、この指紋センサ２２１は、撮像素子２２２と、この撮像素子２２２で撮像した指紋の画像を記憶する画像メモリ２２３とが設けられている。この画像メモリ２２３からのデータは、正規化ブロック２２４で処理された後、特徴抽出ブロック２２５で特徴が抽出されるとともに、データ圧縮ブロック２２６で圧縮される。これら抽出された特徴データや圧縮されたデータは、符号化ブロック２２７で符号化された後、暗号器２２８で暗号化され、この暗号化された指紋データが登録済指紋データ（暗号化指紋データ）ブロック２２９に登録される。そして、この登録済指紋データ（暗号化指紋データ）ブロック２２９内の暗号化された指紋データが、登録制御（外部書込み）ブロック２３０から、携帯情報機器８の登録済指紋データブロック８０２にオフラインで書き込めるように構成されている。
【００１９】
つまり、この実施の形態においては、指紋センサ２２１を携帯情報機器８側に設けることなく、これを認証装置２１側に設け、認証装置２１側で指紋データを検出するとともに、暗号化して登録済指紋データ（暗号化指紋データ）ブロック２２９に登録する。そして、この登録した指紋データ（暗号化指紋データ）をオフラインで、携帯情報機器８の登録済指紋データブロック８０２に書き込むことにより、携帯情報機器８側にも登録する。
【００２０】
したがって、指紋データに基づく認証を携帯情報機器８側で行い、指紋データに基づく認証がなされた場合にのみ、ＩＤ、暗証などその他の認証用データを外部の認証装置２１に送信して、これらに基づく認証を認証装置２１に行わせることができる。しかも、指紋センサ２２１を、携帯情報機器８側に設ける必要がないことから、携帯情報機器８の小型化を図りつつ、セキュリティを確保することができる。
【００２１】
図３は、登録済指紋データ（暗号化指紋データ）ブロック２２９に登録される指紋データを示すものであり、指紋の特徴点（１）島、（２）短線、（３）分岐、（４）島型線、（５）終末、（６）間線等を登録する。また、図４に示すように、（ａ）弓状紋、（ｂ）蹄状紋、（ｃ）渦状紋等を登録するようにしてもよい。
【００２２】
以上の構成に係る本実施の形態において、ユーザが指Ｆの指紋Ｐを指紋センサ２２１により検出させると、検出された指紋データが暗号化されて登録済指紋データ（暗号化指紋データ）ブロック２２９に登録する。そして、この登録した指紋データ（暗号化指紋データ）をオフラインで、携帯情報機器８の登録済指紋データブロック８０２に書き込むことにより、携帯情報機器８側にも登録される。
【００２３】
この携帯情報機器８側に登録された登録済指紋データは、ユーザの送信送信指示操作により携帯情報機器８の無線送受信部８０４から送信され、認証装置２１の無線送受信部２１２で受信されて、指紋データ解析部＆認証部２１４で特徴データが解析されて、予め登録済指紋データ（暗号化指紋データ）ブロック２２９に登録されている指紋データと比較される。そして、両者が一致すると、ＩＤ，暗証などその他の認証判定が認証判定ブロック２１７でなされる。そして、認証判定ブロック２１７で認証がなされることにより、アクセス制御＆サービス制御ブロック２１８を介して所望のサーバー等４〜７にアクセスして、情報／コンテンツが携帯情報機器８側に送信される。あるいはユーザが携帯情報機器８を介して要求することにより、個人向けカスタマイズ・サービスや本人のみ対象の医療薬事介護サービス等の提供を受けることができる。
【００２４】
（２）第１の実施の形態の変形例
【００２５】
図５は、本発明の第１の実施の形態の変形例における携帯情報機器８と認証装置２１との回路構成を示すブロック図である。携帯情報機器８は、各部を制御する制御部８１１と、この制御部８１１に接続された登録済ＤＮＡ／遺伝子データブロック８１２、ＩＤ，暗証などその他の認証用データブロック８１３、及び無線送受信部８１４で構成されている。
【００２６】
認証装置２１は、各部を制御する制御部２４３を備え、この制御部２４３には、前記携帯情報機器８側の無線送受信部８１４と通信する無線送受信部２４２、登録済ＤＮＡデータ復号ブロック２４５及びその他認証データ復号ブロック２４９が接続されている。登録済ＤＮＡデータ復号ブロック２４５は、ＤＮＡ／遺伝子解析＆認証部２４４内に設けられており、同様にＤＮＡ／遺伝子解析＆認証部２４４内に設けられているＤＮＡデータ認証検査ブロック２４６を介して、認証判定ブロック２４７に接続され、この認証判定ブロック２４７はアクセス制御＆サービス制御ブロック２４８に接続されている。また、前記その他認証データ復号ブロック２４９は、その他の認証検査ブロック２５０を介して、認証判定ブロック２４７に接続されている。
【００２７】
また、この認証装置２１には、ＤＮＡ多型／配列検出部２５１が設けられている。このＤＮＡ多型／配列検出部２５１は、ＤＮＡ抽出／切断ブロック２６１、増幅（ＰＣＲ）ブロック２６２、分離、調整ブロック２６３、ハイブリッド結合（対合）ブロック２６４、ＣＣＤ撮像ｏｒ塩基配列検出ブロック２６７が設けられている。そして、ＤＮＡ抽出／切断ブロック２６１には制限酵素など２６８が与えられ、、増幅（ＰＣＲ）ブロック２６２にはＰＣＲプライマ２６９が与えられ、分離、調整ブロック２６３には鑑定配列プローブＤＮＡ２７０が与えられるように構成されている。
【００２８】
また、ＤＮＡ多型／配列検出部２５１のＣＣＤ撮像ｏｒ塩基配列検出ブロック２６７からのデータは、正規化ブロック２５４で処理された後、遺伝子多型判定ブロック２５５で遺伝子多型判定がなされるとともに、データ圧縮ブロック２５６で圧縮される。この圧縮されたデータは、符号化ブロック２５７で符号化された後、暗号器２５８で暗号化され、この暗号化されたＤＮＡデータが登録済ＤＮＡ／遺伝子データ（符号化ＤＮＡ／遺伝子データ）ブロック２５９に登録される。そして、この登録済ＤＮＡ／遺伝子データ（符号化ＤＮＡ／遺伝子データ）ブロック２５９内の暗号化されたＤＮＡデータが、登録制御（外部書込み）ブロック２６０から、携帯情報機器８の登録済ＤＮＡ／遺伝子データブロック８１２にオフラインで書き込めるように構成されている。
【００２９】
以上の構成に係る本実施の形態は、ＤＮＡ多型／配列検出部２５１は図６に示したフローチャートに示した手順でＤＮＡを検出する。すなわち、人体組織、細胞など生物資料Ｘを取得し（ステップＳ１０１）、細胞の破壊を行うべく、ＳＤＳやフェノールクロロフォルムなどの界面活性剤やタンパク質変性剤で、細胞膜を破壊し、ＤＮＡ結合タンパク質を変性、遊離する（ステップＳ１０２）。さらに、ＤＮＡ以外の物質の除去を行うべく、フェノールクロロフォルム抽出法等で、混入タンパク質を除去、分離し（ステップＳ１０３）、塩化リチウム沈殿法やＲＮａｓｅで、混入ＲＮＡを除去する（ステップＳ１０４）。ＣＴＡＢなど陰イオン性界面活性剤で混入多糖類を除去し（ステップＳ１０５）、抽出ＤＮＡをエタノール沈殿後、乾燥、保存する（ステップＳ１０６）。また、抽出ＤＮＡをＥＤＴＡやＴＥ緩衝液中に溶解し、−２０℃凍結し、＋４℃保存する（ステップＳ１０７）。
【００３０】
つまり、この実施の形態においては、ＤＮＡ多型／配列検出部２５１を携帯情報機器８側に設けることなく、これを認証装置２１側に設け、認証装置２１側でＤＮＡデータを検出するとともに、暗号化して登録済ＤＮＡ／遺伝子データ（符号化ＤＮＡ／遺伝子データ）ブロック２５９に登録する。そして、この登録したＤＮＡデータ（暗号化ＤＮＡデータ）をオフラインで、携帯情報機器８の登録済ＤＮＡ／遺伝子データブロック８１２に書き込むことにより、携帯情報機器８側にも登録する。
【００３１】
したがって、ＤＮＡデータに基づく認証を携帯情報機器８側で行い、ＤＮＡデータに基づく認証がなされた場合にのみ、ＩＤ、暗証などその他の認証用データを外部の認証装置２１に送信して、これらに基づく認証を認証装置２１に行わせることができる。しかも、ＤＮＡ多型／配列検出部２５１を、携帯情報機器８側に設ける必要がないことから、携帯情報機器８の小型化を図りつつ、セキュリティを確保することができる。
【００３２】
図７及び図８に、登録済ＤＮＡ／遺伝子データ（符号化ＤＮＡ／遺伝子データ）ブロック２５９に登録される遺伝子／ＤＮＡ多型情報の例を示す。
【００３３】
以上の構成に係る本変形例において、髪毛、血液、表皮等の人体の組織断片や細胞等の生物資料Ｘにより遺伝子／ＤＮＡ多型情報をＤＮＡ多型／配列検出部２５１により検出させると、検出された遺伝子／ＤＮＡ多型情報が暗号化されて登録済ＤＮＡ／遺伝子データ（符号化ＤＮＡ／遺伝子データ）ブロック２５９に登録する。そして、この登録した遺伝子／ＤＮＡ多型情報（暗号化遺伝子／ＤＮＡ多型情報）をオフラインで、携帯情報機器８の登録済ＤＮＡ／遺伝子データブロック８１２に書き込むことにより、携帯情報機器８側にも登録される。
【００３４】
この携帯情報機器８側に登録された登録済遺伝子／ＤＮＡ多型情報は、ユーザの送信送信指示操作により携帯情報機器８の無線送受信部８１４から送信され、認証装置２１の無線送受信部２４２で受信されて、ＤＮＡ／遺伝子解析＆認証部２４４で特徴データが解析されて、予め登録済ＤＮＡ／遺伝子データ（符号化ＤＮＡ／遺伝子データ）ブロック２５９に登録されている遺伝子／ＤＮＡ多型情報と比較される。そして、両者が一致すると、ＩＤ，暗証などその他の認証判定が認証判定ブロック２４７でなされる。そして、認証判定ブロック２４７で認証がなされることにより、アクセス制御＆サービス制御ブロック２４８を介して所望のサーバー等４〜７にアクセスして、コンテンツが携帯情報機器８側に送信されることとなる。
【００３５】
（３）第２の実施の形態
図９は、本発明の第２の実施の形態におけるシステム構成を示すものである。本システムはインターネット１を介して接続される生体データ解析用データベース１０３、認証サーバー４、会員情報／課金データベース５、情報／役務提供サーバー６、提供サービスのコンテンツ／データベース７等を有している。他方、無線基地局１０１は、移動体通信網１０２及びゲートウェイ１０４を介してインターネット１に接続される。無線電話端末９は、無線基地局１０１と無線通信を行うとともに、携帯情報機器８とは近接無線通信により、無線電話端末９からは生体認証用データの要求や認証結果の応答等を送信し、携帯情報機器８から送信される個人／会員ＩＤ及び生体認証用データ等を受信する。
【００３６】
図１０は、携帯情報機器８と無線電話端末９の回路構成を示すブロック図である。携帯情報機器８は、各部を制御する制御部８２１と、この制御部８２１接続されたＤＮＡ／遺伝子解析＆認証部８２２と無線送受信部８２３が設けられている。登録済ＤＮＡデータブロック８２３は、ＤＮＡ／遺伝子解析＆認証部８２２内に設けられたＤＮＡデータ認証検査ブロック８２５を介して、制御部８２１に接続されている。
【００３７】
また、この携帯情報機器８には、ＤＮＡ多型／配列検出部８２６が設けられている。このＤＮＡ多型／配列検出部８２６には、ＤＮＡ検出ブロック８２７、切断／増幅／分離／標識ブロック８２８、鑑定配列のＤＮＡチップ、マイクロアレイと対合ブロック８２９、ハイブリッド結合（対合）ブロック２６４、レーザー光照射、ＣＣＤ電子撮影ブロック８３０が設けられている。そして、ＤＮＡ多型／配列検出部８２６のレーザー光照射、ＣＣＤ電子撮影ブロック８３０からのデータは、正規化ブロック８３１で処理された後、遺伝子多型判定ブロック８３２で遺伝子多型判定がなされるとともに、データ圧縮ブロック８３３で圧縮される。この圧縮されたデータは、符号化ブロック８３４で符号化された後、暗号器８３５で暗号化され、制御部８２１及び無線送受信部８２３を介して、無線電話端末９に送信される。
【００３８】
無線電話端末９は、各部を制御する制御部９０１を備え、制御部９０１には前記携帯情報機器８の無線送受信部８２３と近接無線通信する無線送受信部９０２が入出力制御部９０３を介して接続されている。さらに、制御部９０１には、表示部９０４、ＳＩＭ９０５、ＲＡＭ９０６、ＲＯＭ９０７が接続されているとともに、操作部９０８からキー操作情報が入力され、ＲＯＭ９０７には制御部９０１が各部を制御するためのプログラムが格納されている。また、マイク９０９からの音声信号は音声処理部９１０で処理され、通信制御部８１１で変調処理等がなされた後、送受信部８１２を介してアンテナ９１３より無線基地局１０１に送信される。無線基地局１０１からの電波は、アンテナ９１３により受信され、受送信部９１２を介して通信制御部８１１で復調処理等がなされた後、音声処理部９１０で処理され、スピーカ９１４から音声として出力される。
【００３９】
以上の構成に係る本実施の形態において、ＤＮＡ多型／配列検出部８２６により検出された遺伝子／ＤＮＡ多型情報は、携帯情報機器８の無線送受信部８２３から送信されて、無線電話端末９の無線送受信部９０２で受信されて、送受信部９１２及びアンテナ９１３を介して送信される。この遺伝子／ＤＮＡ多型情報に基づき、認証サーバー４が認証を行うことにより、サーバー６、７にアクセスして、コンテンツ等が無線電話端末９に送信されることとなる。
【００４０】
（４）第２の実施の形態の変形例１
【００４１】
図１１は、本発明の第２の実施の形態の変形例１を示すシステム構成図である。この変形例においては、前記無線電話端末９に、携帯型のＤＮＡ／遺伝子解析装置１０が接続されている。携帯型のＤＮＡ／遺伝子解析装置１０は、ユーザ本人の人体、組織片、細胞（血液、髪毛、粘膜など）の生物資料Ｘを挾持させた組織抽出用カセット１１から、ＤＮＡを検出する機能を有するとともに、携帯情報機器８とは近接通信により通信する機能を有している。また、携帯情報機器８内には、個人／会員ＩＤ、本人のＤＮＡ配列情報／遺伝子多型情報データを記憶するためのメモリが設けられている。
【００４２】
以上の構成に係る本実施の形態において、ＤＮＡ／遺伝子解析装置１０は、組織抽出用カセット１１に挾持された細胞等の生物資料ＸからＤＮＡ配列情報／遺伝子多型情報データを検出する。そして、ＤＮＡ／遺伝子解析装置１０から生体認証用個人データを要求すると、携帯情報機器８側は予め記憶した個人／会員ＩＤ及び生体認証用参照データをＤＮＡ／遺伝子解析装置１０に送る。すると、ＤＮＡ／遺伝子解析装置１０は検出したＤＮＡ配列情報／遺伝子多型情報データと生体認証用参照データと比較して、認証結果を携帯情報機器８に応答する。両者が一致して認証がなされることにより、無線電話端末９及びＤＮＡ／遺伝子解析装置１０を介して、携帯情報機器８に要求したサービスに応じた表示等がなされることとなる。
【００４３】
（５）第２の実施の形態の変形例２
【００４４】
図１２は、本発明の第２の実施の形態の変形例２における携帯情報機器８と無線電話端末９の回路構成を示すブロック図である。このブロック図において、無線電話端末９の構成は図１０に示した無線電話端末９と同一であるので、同一部分に同一符号を付して説明を省略する。
【００４５】
携帯情報機器８は、各部を制御する制御部８４１を備え、この制御部８４１に、指紋データ認証検査ブロック８４２、ＩＤ，暗証などその他の認証用データブロック８４３、及び無線送受信部８４４が接続されている。指紋データ認証検査ブロック８４２には、指紋特徴データ解析ブロック８４５を介して指紋センサ８４６が接続されているとともに、登録済指紋データブロック８４７が接続されている。
【００４６】
前記指紋センサ８４６としては、図１３（ａ）に示した光学式・指紋センサと、同図（ｂ）に示した静電容量式・指紋センサのいずれかが採用される。光学式・指紋センサは、光源１８０、反射板１８１、プリズム１８２、レンズ１８３及びＣＣＤ、ＣＭＯＳセンサなどの撮像素子１８４で構成されている。そして、光源１０８からの光を反射板１８１及びプリズム１８２により、指Ｆの指紋Ｐに照射し、その反射光をプリズム１８２及びレンズ１８３により撮像素子１８４に結像させて撮像するものである。
【００４７】
また、静電容量式・指紋センサは、ＳＩＯ２等で形成された接触板１８５と、この接触板１８５の裏面側に適宜の間隔を持って配置された複数の微小電極１８６、及び各微小電極１８６に接続された回路部１８７で構成されている。そして、指紋Ｐを接触板１８５に接触させると、図示のように指紋Ｐの尾根（凸部）Ｐ１は接触板１８５と接触するが、谷Ｐ２（凹部）は接触しない。したがって、指紋の形状（尾根Ｐ１と谷Ｐ２のパターン）に応じて各微小電極１８６毎の静電容量が異なることから、各微小電極１８６毎の静電容量を得ることにより指紋の形状を検出するものである。
【００４８】
係る本実施の形態において、これらいずれかの方式からなる指紋センサ８４６により検出された指紋データは、指紋特徴データ解析ブロック８４５で特徴データが解析されて、予め登録済み指紋データブロック８４７に登録されている指紋データと指紋データ認証検査ブロック８４２で比較される。そして、両者が一致すると、ＩＤ，暗証などその他の認証用データブロック８４３内のデータが、制御部８４１を介して無線送受信部８４４より、無線電話端末９側に送信される。
【００４９】
（６）ＤＮＡ多型／配列検出部２５１の処理方法
前述した実施の形態においては、図１０のフローチャートに示した手順でＤＮＡ検出を行うようにしたが、下記の方法を用いることもできる。
【００５０】
▲１▼サザンブロット結合による解析
切断した所望の部位を制限酸素で切断分離し、ゲル電気泳動法で大きさ別に分離する。ゲルをアルカリ溶液に浸しＤＮＡを変性させ、ニトロセルロース膜と吸水性パッドをかぶせＤＮＡ断片を膜にする。鑑定したい塩基列と相補性の配列を含むＤＮＡプローブを含む液に浸し６５℃ほどに加熱しておくと、予めアイソトープや蛍光色素や酵素で標識をつけておいたＤＮＡプローブは相補的な配列を持つＤＮＡ断片と結合する。洗浄して余分のプローブを流し、膜を乾燥させ、暗室でＸ線フィルムやＣＣＤカメラ等で電子撮影すると、プローブと相補的ＤＮＡ断片のところにバンド（縞模様）ができる。このバンド模様から、遺伝子型やＤＮＡ多型や反復配列多型を判定できる。
【００５１】
▲２▼「ＤＮＡチップ」や「ＤＮＡマイクロアレー」による遺伝子分析
多数の升目に異なる鑑定配列の合成オリゴＤＮＡを形成しておいた「ＤＮＡチップ」や」、多数の異なる鑑定配列のプローブＤＮＡを形成しておいた「ＤＮＡマイクロアレー」に、蛍光標識を付けた検体ＤＮＡを一度結合させた後、洗浄し乾燥した後、レーザー光を当てて発光した升目をＣＣＤカメラなどで電子撮影し、コンピュータ上の解析ソフトなどで画像解析して、どの鑑定配列がＤＮＡと結合したかをみれば、検体ＤＮＡに鑑定配列（又はその相補配列）が含まれているか否か、あるいは、どの配列にＤＮＡが含まれていたかが電子的に判定できるので、このような、「ＤＮＡチップ」や「ＤＮＡマイクロアレー」など、簡易で小型化が可能な方法を用いてもよい。また、所望配列や鑑定配列のプローブを形成したチップやマイクロアレーを予め用意しておけば、一定期間保存も容易で、かつ、検体の量も微量でたり、検査時間も少なくて済むので、携帯型のＤＮＡ解析装置や遺伝多型検査装置として用いるの適している。
【００５２】
▲３▼ＤＮＡシーケンサによる塩基配列読み取り
「ＤＮＡシーケンサ」で鑑定部位の塩基配列や反復配列を直接読み取りデジタル符号化出力してもよい。ＤＮＡ塩基配列の読み取り方法を「サンガー法」（ジデオキシリボ法）によるシーケンサで説明すると、まず、鑑定したいＤＮＡ配列のベクター部に蛍光標識したプライマーＤＮＡに張り付けた検体ＤＮＡを、通常のＤＮＡと合成原料となるＡ．Ｃ．Ｇ．Ｔの各デオキシリボ・ヌクレオチド・三リン酸（ｄＮＴＰ）基質とＤＮＡ合成酵素に加えて、次の結合に必要なヒドロキシ基（−ＯＨ基）を持たない、Ａ．Ｃ．Ｇ．Ｔ各塩基のシデオキシリボ・ヌクレオチド・三リン酸（ｄｄＮＴＰ）を１種ずついれた４本の試験管に分けて加え、ｄｄＮＴＰと結合して、Ａ．Ｃ．Ｇ．Ｔの各部分で合成反応が止まった種々のＤＮＡ断片を得て、これをＤＮＡ１本鎖に戻し、電気泳動をかけて、レーザー光を当てて標識の蛍光をＣＣＤカメラなどで電子撮影すれば、ＤＮＡの塩基配列を順に読み取ることができる。
【００５３】
これら検出したＤＮＡ塩基配列や、反復配列数などＤＮＡの多型情報など遺伝子情報の、個人的特徴部分や固有部分の情報をデジタル圧縮符号化し、暗号器で暗号化して携帯情報機器８に登録しておく。次に、認証利用時には、携帯情報機器８は登録済みの遺伝子型やＤＮＡ多型、塩基配列データをメモリから読み出し、無線送受信部から遺伝子やＤＮＡの計測解析装置や認証装置に送信する。また登録時と同様に、本人の血液や人体組織片を検体カセット等に装着して、解析装置や認証装置に配置して、前述した方法でＤＮＡ塩基配列の読み取り等を行う。検出解析した遺伝子多型やＤＮＡ塩基配列データの出力と、受信し復号した登録済み本人の遺伝子多型やＤＮＡ塩基配列データと認証検査回路で照合する。遺伝子多型やＤＮＡ塩基配列による認証検査結果が照合した場合には、認証装置はアクセスやサービス利用を許可するように制御する。
【００５４】
▲４▼その他
【００５５】
遺伝子型の判定には、各ＤＮＡの多型やミトコンドリアＤＮＡの多型を用いるが、ＤＮＡの塩基配列の代わりにそれと相補配列のｃＤＮＡ、あるいは、ＲＮＡやそれと相補のｃＲＮＡの塩基配列を検出して解析してもよい。
【００５６】
また、遺伝子多型と関係する（ＡＢＯ式、Ｒｈ−Ｈｒ式、ＭＮ式などの）血液型（赤血球型）や、（ＧＣ型、Ｇｍ型、Ｋｍ型などの）血清タンパク血液型（血清型）、（ＰＧＭ型などの）赤血球酵素の血液型（酵素型）、（ＨＬＡ型などの）白血球型など、各種遺伝形質やそれらの組合せを認証に利用することもできる。
【００５７】
［血液型の判定］
例えば、ＡＢＯ式血液型では、血液型を決めるエピトープ（ｅｐｉｔｏｐｅ、血液型活性を発揮する糖鎖の分子構造）は赤血球膜上にあるので、検査する検体（赤血球）と型に特異的な抗体（抗Ａ、抗Ｂ）とをガラス板上などで反応させ、陽性であれば血球凝集塊を作ることを利用して、当該抗体で凝集反応が起こるか否かにより型判定する。
【００５８】
［血清型の判定］
血清タンパクの血液型（血清型）では、血液の液体成分である血清には数十種類のタンパクが含まれ、血清を電気泳動している免疫科学的手法で可視化すると固体によって移動度が異なり、移動度の差は遺伝形質であることが知られている。タンパクは両性電解質だが、弱アルカリ性環境では負の電荷を持つので、弱アルカリ性ゲルを作る電気泳動法で移動度の差から型判定できる。
【００５９】
ＧＣタンパクなど血清タンパクの型判定では、各タンパク固有の「等電点」（あるｐＨでは正や負の電荷を持つが、特定のｐＨＤでは電荷０になる）を利用した「等電点電気泳動法」で検出する。ｐＨ勾配をつけたゲルに検体の血清を加えると、血清中の各タンパクは固有の等電点ｐＨのとろに集まり明瞭なバンドを形成するので分離できる。これをニトロセルロース膜に転写し、目的とするタンパクの抗体（一次抗体）を作用させ、洗浄後、一次抗体と反応する酵素標識抗体（二次抗体）を加え、洗浄後、酵素基質を加えて発色させると、目的のバンドが検出できるので型判定できる。
【００６０】
［核ＤＮＡ多型の判定］
【００６１】
ヒトのＤＮＡは、アデニン、チミン、グアニン、シトシンの４種の塩基が約３０億個配列した核ＤＮＡと、１万６５００個の塩基が配列したミトコンドリアＤＮＡとからなる。
核ＤＮＡの多型は、イントロン（タンパクに翻訳されない配列部分）の長さ２００〜２０００塩基の限られた部分について、主に次のメカニズムで起こることが知られている。
（１）「塩基の置換による多型」；一ヶ所の塩基が別の塩基に置き換わって起こる多型。
（２）「塩基欠失による多型」；一ヶ所の塩基が欠失したため、下流の塩基が繰り上がってコドンが形成される。制限酵素の認識部位も変わる。
（３）「反復配列数（ＶＮＴＲ：Ｖａｒｉａｂｌｅ  Ｎｕｍｂｅｒ  Ｔａｎｄｅｍ  Ｒｅｐｅａｔ）による多型」；イントロンには二〜十数個の塩基一単位とする反復配列（Ｔａｎｄｅｍ  Ｒｅａｐｅａｔ）が多数繰り返される部分があり、その反復回数は遺伝する。Ｄ１Ｓ８０という多型では１６ｂｐ（塩基対）を一単位とし、ヒトにより１４回〜４２回の反復配列がある。これらのＤＮＡ多型は個人識別に利用できる。これらのＤＮＡ多型は、「マルチ・ローカス・プローブ（ＤＮＡ指紋法）」や「シングル・ローカス反復配列数」「ショート・タンデム・リピート（ＳＴＲ）」などの手法を利用できる。
【００６２】
（７）ＤＮＡ多型／配列検出部２５１の処理手順
前述した実施の形態においては、図１０のフローチャートに示した手順でＤＮＡ検出を行うようにしたが、図１４に示すフローチャートに従った手順でＤＮＡ検出を行うようにしてもよい。すなわち、人体組織片や血液などから、検体ＤＮＡを抽出し（ステップＳ２０１）、これを制限酸素で切断すした後（ステップＳ２０２）、ＰＣＲプライマーを用いてＰＣＲ法で増幅する（ステップＳ２０３）。引き続き、寒天ゲルに電気泳動させて（ステップＳ２０４）、アルカリ塩基に浸し、ＤＮＡを変性させた後（ステップＳ２０５）、吸着膜に転写する（ステップＳ２０６）。さらに、相補正配列とハイブリッド結合させた後（ステップＳ２０７）、洗浄及び乾燥して（ステップＳ２０８）、フィルムに撮像し、あるいは電子撮像を行う（ステップＳ２０９）。そして、遺伝子多型判定ブロック２４８で、画像のバンド模様からＤＮＡ多型を判定する（ステップＳ２１０）。
【００６３】
また、図１５に示すフローに従ってＤＮＡ多型を判定してもよい。すなわち、このフローにおいてステップＳ３０１〜Ｓ３０４は、図１６のステップＳ２０１〜Ｓ２０４と同様である。引き続き、吸着膜に転写し（ステップＳ３０５）、エチジウム・ブロマイド、銀染色を行う（ステップＳ３０６）。さらに、前述のステップＳ２０８〜Ｓ２０１０と同様に、洗浄及び乾燥して、フィルムに撮像し、あるいは電子撮像を行い、画像のバンド模様からＤＮＡ多型を判定する（ステップＳ３０７〜Ｓ３０９）。
【００６４】
このようにして、遺伝子多型判定ブロック２４８で判定されたＤＮＡ多型は、符号化ブロック８３４で符号化され、暗号器８３５により暗号化されて、登録済ＤＮＡ／遺伝子データ（暗号化ＤＮＡ／遺伝子データ）ブロックに登録される。しかる後に、登録制御（外部書込）ブロック２６０からオフラインで、携帯情報機器８の登録済ＤＮＡ／遺伝子データブロック２０８に書き込まれる。
【００６５】
そして、認証サービス利用時には、携帯情報機器８の登録済ＤＮＡ／遺伝子データブロック２０８から、登録済ＤＮＡ／遺伝子データを読み出して、無線送受信部８１４から認証装置２１に送信する。このとき、ＩＤ、暗証などのその他の認証データブロック８０３内のＩＤ、暗証などのその他の認証データも同時に送信する。
【００６６】
すると、認証装置２１の無線送受信部２４２がこれを受信して、制御部２４３及び登録済遺伝子／ＤＮＡ多型情報復号ブロック８２３を介して、受信した登録済遺伝子／ＤＮＡ多型情報を遺伝子／ＤＮＡ多型情報認証検査ブロック２８４に送る。また、認証装置２１においては、人体組織片や血液などから、前述の図１６又は図１７に示した手順で再度ＤＮＡ多型を判定する。そして、この再度判定した遺伝子／ＤＮＡ多型情報を遺伝子／ＤＮＡ多型情報認証検査ブロック２８４に送る。すると、遺伝子／ＤＮＡ多型情報認証検査ブロック２８４は、受信した登録済遺伝子／ＤＮＡ多型情報と今回の遺伝子／ＤＮＡ多型情報とを比較して、両者が一致した場合には、認証判定ブロック２１７に信号を出力する。
【００６７】
他方、無線送受信部２４２で受信されたその他の認証データは、制御部２４３及びその他認証データ復号ブロック２１９を介して、その他の認証検査ブロック２２０に入力される。すると、その他の認証検査ブロック２２０は、受信したその他の認証データと予め登録されているその他の認証データとを比較して、両者が一致した場合には、認証判定ブロック２１７に信号を出力する。
【００６８】
そして、認証判定ブロック２１７は、遺伝子／ＤＮＡ多型情報認証検査ブロック２８４と他の認証検査ブロック２２０の双方から信号が出力された場合、つまり、受信した登録済遺伝子／ＤＮＡ多型情報と今回の遺伝子／ＤＮＡ多型情報とが一致し、かつ、受信したその他の認証データと予め登録されているその他の認証データとが一致した場合、認証したことを示す信号をアクセス制御＆サービス制御ブロック１２８を送り、これによりユーザの認証サービス利用が許可される。
【００６９】
なお、遺伝子型の判定には、核ＤＮＡの多型やミトコンドリアＤＮＡの多型を用いるが、ＤＮＡの塩基配列の代わりにそれと相補配列のｃＤＮＡ、あるいは、ＲＮＡの塩基配列を検出して解析してもよい。
【００７０】
また、認証データとして血液型を用いる場合には、図１６又は図１７に示す手順で判定を行えばよい。すなわち、図１６の判定手順においては、血液などから先ず血球成分、赤血球を抽出し（ステップＳ４０１）、型に特異的な抗体でガラス基板状で反応させ（ステップＳ４０２）、凝集反応が起こるか否かで型を判定する（ステップＳ４０３）。
【００７１】
また、図１７の判定手順においては、血液などから先ず血清成分を抽出する（ステップＳ５０１）。次に、ポリアクリルアミド・ゲルに直流電流を流して、ＰＨ勾配を付けたアルカリ性ゲルを用いて、血清成分を等電点電気泳動法で処理する（ステップＳ５０２）。引き続き、吸着膜に転写して（ステップＳ５０３）、目的タンパクの一次抗体と結合させた後（ステップＳ５０４）、洗浄する（ステップＳ５０５）。さらに、酸素標識抗体（二次抗体）と結合させた後（ステップＳ５０６）、洗浄し（ステップＳ５０７）、酸素基質を加え、発色させる（ステップＳ５０８）。そして、洗浄及び乾燥して（ステップＳ５０９）、フィルムに撮像し、あるいは電子撮像を行い（ステップＳ５１０）、バンド移動度から血清型を判定する（ステップＳ５１１）。
【００７２】
なお、前述した実施の形態のは下記の用途や応用システムとしてして用いることができる。
１）高額ショッピングや高度なセキュリティを要する認証サービス。
２）本人の生体情報と照合したり、本人適用に限られた医療や薬事、介護サービス
３）本人の生体情報やプロファイルに合わせ、カスタマイズされる個人向サービス。
４）本人以外への情報漏洩リスクが高く、プライバシー保護を要する認証やサービス。
【００７３】
具体的には、
（ａ）リモートアクセスなどネットワークアクセス認証（加入者認証や接続認証）、
（ｂ）入退室などセキュリティ管理用の本人認証、
（ｃ）移動体端末でのＳＩＭ認証、特に携帯電話端末など移動体通信機能と認証機能が合体複合した機器での本人認証（加入者認証、本人認証、接続認証、課金認証など）、
（ｄ）ネット上でのクレジット電子決済の加入者（本人）認証、
（ｅ）その他ネットワーク決済や電子マネーなど決済、課金時の本人認証
（ｆ）放送網やネットワークを利用した情報コンテンツ配信サービス、
（ｇ）家電製品やホームネットワーク機器とのリモート認証やリモートコントロール（本人認証や個人カスタマイズ）、
（ｈ）情報サーバーやデータベースの検索（プライバシー情報やカスタマイズ情報）、
（ｉ）本人プロファイルにより自動検索
など、出先やネットワーク利用などの用途で、携帯型や小型モバイルでも生体計測認証や本人認証が必要な分野や目的に、広く利用することができる。
【００７４】
【発明の効果】
以上説明したように請求項１に係る発明によれば、予め記憶手段に各人に固有の生体情報を記憶させておけば、この記憶された生体情報が送信されることから、認証の都度ユーザが生体情報を検出させる動作を行う必要はない。よって、認証時に煩雑性を伴うことはない。また、携帯情報機器は身体に装着可能であり、また、認証用いられる情報は各人に固有の生体情報であることから、高度のセキュリティを確保することもできる。
【００７５】
また、請求項２に係る発明によれば、更に当該携帯情報機器で各人に固有の生体情報を検出して記憶することができる。そして、一旦記憶手段に固有の生体情報を記憶させておけば、この記憶された生体情報が送信されることから、認証の都度ユーザが生体情報を検出させる動作を行う必要はない。よって、認証時に煩雑性を伴うことはない。また、携帯情報機器は身体に装着可能であり、また、認証用いられる情報は各人に固有の生体情報であることから、高度のセキュリティを確保することもできる。
【００７６】
また、請求項５に係る発明によれば、ユーザは認証装置が設置されている場所に１度だけ出向き生体情報を検出させて記憶させておけば、認証の都度ユーザが生体情報を検出させる動作を行う必要はない。よって、認証時に煩雑性を伴うことはない。また、認証用いられる情報は各人に固有の生体情報であることから、高度のセキュリティを確保することもできる。
【００７７】
また、請求項７によれば、ユーザは認証装置が設置されている場所に１度だけ出向き生体情報を検出させて記憶させておけば、認証の都度ユーザが生体情報を検出させる動作を行う必要はない。よって、認証時に煩雑性を伴うことはない。また、認証用いられる情報は各人に固有の生体情報であることから、高度のセキュリティを確保することもできるシステムを構築することができる。
【図面の簡単な説明】
【図１】本発明の第１の実施の形態のシステム構成図である。
【図２】同実施の形態における携帯情報機器と認証装置の回路構成を示すブロック図である。
【図３】登録済指紋データ（暗号化指紋データ）ブロックに登録される指紋データを示図である。
【図４】登録済指紋データ（暗号化指紋データ）ブロックに登録される他の指紋データを示図である。
【図５】本発明の第１の実施の形態の変形例における携帯情報機器と認証装置の回路構成を示すブロック図である。
【図６】ＤＮＡ検出手順を示すフローチャートである。
【図７】登録済ＤＮＡ／遺伝子データ（符号化ＤＮＡ／遺伝子データ）ブロックに登録される遺伝子／ＤＮＡ多型情報の例を示す図である。
【図８】登録済ＤＮＡ／遺伝子データ（符号化ＤＮＡ／遺伝子データ）ブロックに登録される遺伝子／ＤＮＡ多型情報の例を示す図である。
【図９】本発明の第２の実施の形態のシステム構成図である。
【図１０】同実施の形態における携帯情報機器と無線電話端末の回路構成を示すブロック図である。
【図１１】本発明の第２の実施の形態の変形例１を示すシステム構成図である。
【図１２】本発明の第２の実施の形態の変形例２における携帯情報機器と無線電話端末の回路構成を示すブロック図である。
【図１３】光学式・指紋センサと、静電容量式・指紋センサの構成を示す回路図である。
【図１４】ＤＮＡ多型判定の手順を示すフローチャートである。
【図１５】ＤＮＡ多型判定の他の手順を示すフローチャートである。
【図１６】血液型判定の手順を示すフローチャートである。
【図１７】血液型判定の他の手順を示すフローチャートである。
【符号の説明】
４    認証サーバー
５    会員情報／課金データベース
６    情報／役務提供サーバー
７    コンテンツ／データベース
８    携帯情報機器
９    無線電話端末
１１    組織抽出用カセット
２１    認証装置
２２    無線送受信部
１０１    無線基地局
１０２    移動体通信網
１０３    生体データ解析用データベース
２１３    制御部
２１４    認証部
２１５    登録済指紋データ復号ブロック
２１６    指紋データ認証検査ブロック
２１７    認証判定ブロック
２１８    サービス制御ブロック
２２０    認証検査ブロック
２２１    指紋センサ
２２２    撮像素子
２２３    画像メモリ
２４７    認証判定ブロック
２４８    サービス制御ブロック
２４８    遺伝子多型判定ブロック
２５０    認証検査ブロック
２５５    遺伝子多型判定ブロック
２５６    データ圧縮ブロック
２５７    符号化ブロック
２５８    暗号器
８０１    制御部
８０２    登録済指紋データブロック
８４６    指紋センサ
８４７    指紋データブロック
８４７    登録済指紋データブロック
９０１    制御部
【図１】
2004208994.tif 000003
【図２】
2004208994.tif 000004
【図３】
2004208994.tif 000005
【図４】
2004208994.tif 000006
【図５】
2004208994.tif 000007
【図６】
2004208994.tif 000008
【図７】
2004208994.tif 000009
【図８】
2004208994.tif 000010
【図９】
2004208994.tif 000011
【図１０】
2004208994.tif 000012
【図１１】
2004208994.tif 000013
【図１２】
2004208994.tif 000014
【図１３】
2004208994.tif 000015
【図１４】
2004208994.tif 000016
【図１５】
2004208994.tif 000017
【図１６】
2004208994.tif 000018
【図１７】
2004208994.tif 000019